(57)【特許請求の範囲】
【請求項１】
固定部およびこの固定部に対して移動可能な移動部を有する作業機本体と、
三角形状の三角印を有し、前記移動部の位置を目視確認するための目印手段とを備え、
前記目印手段の前記三角印は、前記固定部および前記移動部のいずれか一方に設けられ、
前記固定部および前記移動部のいずれか他方によって覆い隠される前記三角印の隠れ量が、前記移動部の前記固定部に対する移動に応じて変化する作業機であって、
前記三角印は、
前記移動部の移動方向に沿って位置する一の辺と、
前記移動方向に対して傾斜した方向に沿って位置する他の辺とを有し、
前記目印手段は、前記一の辺と前記他の辺との間における前記移動方向に対して直交する方向の距離を示すための補助目盛部を有する
ことを特徴とする作業機。
【請求項２】
目印手段は、移動部の移動方向に並んで位置する複数の三角印を有する
ことを特徴とする請求項１記載の作業機。
【請求項３】
基準位置よりも一方側に位置する三角印の表示態様と基準位置よりも他方側に位置する三角印の表示態様とが、互いに異なっている
ことを特徴とする請求項２記載の作業機。
【請求項４】
標準使用範囲内に位置する三角印の表示態様と標準使用範囲外に位置する三角印の表示態様とが、互いに異なっている
ことを特徴とする請求項２記載の作業機。
【発明の詳細な説明】
【技術分野】
【０００１】
本発明は、容易に目視確認できる作業機に関するものである。
【背景技術】
【０００２】
従来、例えば特許文献１に記載された田植機等の作業機が知られている。
【０００３】
この従来の作業機は、植付装置と、この植付装置の植付姿勢を調整するための植付姿勢調整機構と、この植付姿勢調整機構による調整量を確認するためのゲージとを備えている。
【０００４】
また、その調整量を確認するための目印手段であるゲージは、リンク支持部の傾動に連動するように構成された指針と、機体フレームに設けられた目盛板とを有し、この目盛板には線や数字等が付されている。
【先行技術文献】
【特許文献】
【０００５】
【特許文献１】特開２００４−１３５５９５号公報（図２）
【発明の概要】
【発明が解決しようとする課題】
【０００６】
そして、近年、この種の作業機においては、例えば作業者の高齢化等の観点から、容易に目視確認できる作業機が要望されている。
【０００７】
本発明は、このような点に鑑みなされたもので、容易に目視確認できる作業機を提供することを目的とする。
【課題を解決するための手段】
【０００８】
請求項１記載の作業機は、固定部およびこの固定部に対して移動可能な移動部を有する作業機本体と、三角形状の三角印を有し、前記移動部の位置を目視確認するための目印手段とを備え、前記目印手段の前記三角印は、前記固定部および前記移動部のいずれか一方に設けられ、前記固定部および前記移動部のいずれか他方によって覆い隠される前記三角印の隠れ量が、前記移動部の前記固定部に対する移動に応じて変化する作業機であって、前記三角印は、前記移動部の移動方向に沿って位置する一の辺と、前記移動方向に対して傾斜した方向に沿って位置する他の辺とを有し、前記目印手段は、前記一の辺と前記他の辺との間における前記移動方向に対して直交する方向の距離を示すための補助目盛部を有するものである。
【０００９】
請求項２記載の作業機は、請求項１記載の作業機において、目印手段は、移動部の移動方向に並んで位置する複数の三角印を有するものである。
【００１０】
請求項３記載の作業機は、請求項２記載の作業機において、基準位置よりも一方側に位置する三角印の表示態様と基準位置よりも他方側に位置する三角印の表示態様とが、互いに異なっているものである。
【００１１】
請求項４記載の作業機は、請求項２記載の作業機において、標準使用範囲内に位置する三角印の表示態様と標準使用範囲外に位置する三角印の表示態様とが、互いに異なっているものである。
【発明の効果】
【００１２】
本発明によれば、移動部の位置を目視確認するための目印手段を備え、この目印手段が三角形状の三角印を有するため、移動部の位置を容易に目視確認できる。
【図面の簡単な説明】
【００１３】
【図１】本発明の第１の実施の形態に係る作業機の平面図である。
【図２】同上作業機の側面図である。
【図３】同上作業機の要部背面図である。
【図４】同上作業機の側面視要部断面図である。
【図５】同上作業機の目印手段の正面図である。
【図６】同上目印手段のゲージラベルの正面図である。
【図７】本発明の第２の実施の形態に係る作業機のゲージラベルの正面図である。
【図８】本発明の第３の実施の形態に係る作業機のゲージラベルの正面図である。
【図９】本発明の第４の実施の形態に係る作業機のゲージラベルの正面図である。
【図１０】本発明の第５の実施の形態に係る作業機のゲージラベルの正面図である。
【図１１】本発明の第６の実施の形態に係る作業機のゲージラベルの正面図である。
【図１２】本発明の第７の実施の形態に係る作業機のゲージラベルの正面図である。
【図１３】本発明の第８の実施の形態に係る作業機のゲージラベルの正面図である。
【発明を実施するための形態】
【００１４】
本発明の第１の実施の形態について図１ないし図６を参照して説明する。
【００１５】
図中の１は作業機としての農作業機である畦塗り機で、この畦塗り機１は、例えば走行車であるトラクタ（図示せず）に連結され、このトラクタの前進走行により畦に沿って進行方向である前方に移動しながら畦塗り作業（農作業）をするものである。
【００１６】
畦塗り機１は、図１および図２に示されるように、トラクタの後部の３点リンクヒッチ部（作業機昇降支持部）に連結される作業機本体２を備えている。
【００１７】
作業機本体２は、トラクタの後部の３点リンクヒッチ部に脱着可能に連結される機体３と、この機体３に回転可能に設けられ回転しながら田面および畦（元畦）の土を耕耘して盛り上げる盛土手段（ロータリ部）４と、機体３に回転可能に設けられ盛土手段４の後方で回転しながら盛土手段４による盛土を締め固めて畦（新畦）を形成する畦形成手段（ディスク部）５と、機体３に設けられた方向輪手段６とを有している。なお、盛土手段４および畦形成手段５は、トラクタのＰＴＯ軸から出力される動力に基づいて所定方向へ駆動回転するようになっている。
【００１８】
機体３は、トラクタの３点リンクヒッチ部に連結される固定機枠７を有している。固定機枠７は、平行リンク等からなる連結手段８を介して可動機枠９が連結され、この可動機枠９に盛土手段４および畦形成手段５が設けられている。また、機体３は、可動機枠９を固定機枠７に対して移動させる駆動手段であるシリンダ10を有し、このシリンダ10の作動により畦塗り機１が作業状態および非作業状態に選択的に切り換えられる。さらに、固定機枠７に設けられた入力軸11と可動機枠９に設けられた中間入力軸12とが、ジョイント等からなる動力伝達手段13を介して接続されている。
【００１９】
盛土手段４は、可動機枠９のチェーンケース部14の先端部に回転可能に軸支された左右方向の駆動軸である回転軸16と、この回転軸16とともに所定方向に回転しながら田面および畦の土を耕耘して盛り上げる複数の盛土爪17とを有している。なお、盛土手段４の上下方向位置（高さ位置）は、高さ調整部37の操作ハンドル38の操作によって調整可能となっている（図２参照）。
【００２０】
畦形成手段５は、可動機枠９に回転可能に軸支された左右方向の駆動軸である回転軸18と、この回転軸18とともに所定方向に回転しながら盛土手段４による盛土を締め固めて田面側に向かって下り傾斜状の畦側面を形成する略円錐台状の側面ローラである畦側面形成体19と、回転軸18とともに所定方向に回転しながら盛土手段４による盛土を締め固めて水平状の畦上面を形成する略円柱状の上面ローラである畦上面形成体20とを有している。
【００２１】
また一方、機体３の可動機枠９に突設された突出板部15に、方向輪手段６が設けられている。
【００２２】
そして、図１ないし図４等に示されるように、作業機本体２の方向輪手段６は、可動機枠９の突出板部15にボルトおよびナット等の取付具21にて固定的に取り付けられた固定部22と、この固定部22に操作ハンドル24を介して設けられその操作ハンドル24の操作に応じて固定部22に対して上下方向（移動方向）に移動可能な移動部である方向輪部23とを有している。
【００２３】
例えば作業者が操作部である操作ハンドル24を一方向に回動操作すると、その操作量に対応した移動量だけ方向輪部23が固定部22に対して上方に移動し、また作業者が操作ハンドル24を他方向に回動操作すると、その操作量に対応した移動量だけ方向輪部23が固定部22に対して下方に移動する。つまり、方向輪部23の上下方向位置は、操作ハンドル24の操作に基づく固定部22に対する移動により調整可能となっている。
【００２４】
固定部22は、可動機枠９の突出板部15に固定的に取り付けられた細長矩形状の取付板25を有している。取付板25の幅方向端部には４角筒状の外筒26が固設され、この外筒26の上面部に操作ハンドル24が回転可能に取り付けられている。また、外筒26には、操作ハンドル24の回転を規制するハンドルロック手段27が設けられている。ハンドルロック手段27は、例えばねじ28で外筒26に固着された板ばね29と、この板ばね29に当接したロールピン30とにて構成されている。
【００２５】
方向輪部23は、固定部22の外筒26内に上下方向に移動可能に挿入され外筒26に対する移動により外筒26の下端開口26aからの下方への突出長さが変わる４角筒状の内筒31を有している。内筒31の上端部には雌ねじ部32が形成され、この雌ねじ部32に操作ハンドル24の雄ねじ部33が螺合している。このため、調整ハンドルである操作ハンドル24の回転操作により内筒31が外筒26に対して上下方向に移動する。また、内筒31の下端部には左右方向の支軸34が設けられ、この支軸34に略円板状の方向輪35が回転可能に取り付けられている。
【００２６】
また、畦塗り機１は、図３、図５および図６に示されるように、畦塗り機１の後方から作業者が作業機本体２の移動部である方向輪部23の位置、すなわち例えば方向輪部23の上下方向位置（高さ位置）を目視確認するための目盛手段である目印手段41を備えている。
【００２７】
目印手段41は、方向輪部23の内筒31の上部外面に貼り付けられ内筒31の外筒26に対する上下移動により外筒26内に対して出入りする縦方向の主目盛部であるゲージラベル42と、固定部22の外筒26の下端部外面に貼り付けられた横方向の補助目盛部である補助ゲージラベル43とを有している。つまり、目印手段41は、例えば２枚の目盛ラベル42，43を有している。なお、補助ゲージラベル43は、補助的なものであり、必ずしも必要ではなく、これを有しない構成でもよい。
【００２８】
ゲージラベル42は、方向輪部23の移動方向である上下方向に長手方向を有する細長い矩形シート状の縦長のラベル本体46を有している。ラベル本体46の裏面が接着面となっており、この接着面が内筒31の上部外面に接着されている。
【００２９】
ラベル本体46の表面には、互いに隣接した状態で上下方向に並んで位置する複数（例えば７つ）の三角形状をなす三角表示である三角印47が印刷等により設けられている。
【００３０】
複数の三角印47は、例えばすべて同じ大きさの、横向きの２等辺三角形状である。そして、この三角印47は、上下方向に沿って位置する一の辺（底辺）47aと、上下方向に対して傾斜した方向に沿って位置する残りの２つの他の辺（長さが等しい辺）47b，47cとを有している。
【００３１】
また、三角印47の頂角がラベル本体46の右側端部に位置している。上下に互いに隣り合う三角印47に関して、上側の三角印47の下端の底角と下側の三角印47の上端の底角とが接触している。つまり、複数の三角印47が繋がって目盛を構成している。
【００３２】
なお、三角印47は、三角線を構成する３辺47a，47b，47cに加え、上下方向に沿った一の辺47aの中央と頂角とを結んだ水平な直線47dと、複数本の斜線からなるハッチング47eとを有している。
【００３３】
また、ラベル本体46の表面には、互いに等間隔をおいて上下方向に並んで位置する複数（例えば８つ）の数表示48が、三角印47の底角の近傍に位置するように印刷等により設けられている。
【００３４】
複数の数表示48は、例えば上から下に向かって順に、「１００」、「８０」、「６０」、「４０」、「２０」、「０」、「−２０」および「−４０」である。「０」は、ラベル本体46の表面における基準位置に設けられている。
【００３５】
そして、基準位置（「０」数表示）よりも一方側である上方側に位置する三角印47の表示態様と、基準位置（「０」数表示）よりも他方側である下方側に位置する三角印47の表示態様とが、互いに異なっている。すなわち例えば、「０」数表示48より上方側の三角印47のハッチング47eの向きと「０」数表示48より下方側の三角印47のハッチング47eの向きとが互いに異なっている。
【００３６】
なお、「０」の数表示48より上方側の三角印47に付された色と、「０」の数表示48より下方側の三角印47に付された色とが、互いに異なるようにしてもよい。
【００３７】
さらに、ラベル本体46の表面には、互いに等間隔をおいて上下方向に並んで位置する水平な直線状の複数（例えば８本）の線表示49が、対応する数表示48の近傍から右側方に延びるように印刷等により設けられている。なお、線表示49は、上下端の２本のみでもよく、また基準位置の１本のみでもよく、その本数は任意である。
【００３８】
補助ゲージラベル43は、方向輪部23の移動方向に対して直交する方向である水平方向に長手方向を有するやや細長い矩形シート状の横長のラベル本体51を有している。ラベル本体51の裏面が接着面となっており、この接着面が外筒26の下端部外面に接着されている。なお、ラベル本体51の下端と外筒26の下端とが一致している。
【００３９】
ラベル本体51の表面には、互いに等間隔をおいて水平方向に並んで位置する鉛直な直線状の複数（例えば１０本）の線表示52が、ラベル本体51の下端から上方に延びるように印刷等により設けられている。
【００４０】
また、ラベル本体51の表面には、互いに等間隔をおいて水平方向に並んで位置する複数（例えば３つ）の数表示53が、複数の線表示52のうち残りのものよりも長い３本の線表示52の上端近傍に位置するように印刷等により設けられている。複数の数表示53は、例えば左から右に向かって順に、「０」、「５」および「１０」である。
【００４１】
そして、図５から明らかなように、補助ゲージラベル43の「０」数表示53と、補助ゲージラベル43の左端の線表示52と、ゲージラベル42の三角印47の一の辺47aとが、方向輪部23の移動方向に沿った一直線上に位置している。つまり、この補助ゲージラベル43は、三角印47の一の辺47aと他の辺47b，47cとの間における方向輪部23の移動方向に対して直交する方向の距離を示すためのものである。
【００４２】
なお、方向輪部23の内筒31には、ゲージラベル42を内筒31の外面に貼り付ける際の位置合わせ用指示部55が設けられている。ゲージラベル42の貼付け時には、ゲージラベル42の下端を位置合わせ用指示部55に合わせるようにして、ゲージラベル42を内筒31の外面に貼り付ける。
【００４３】
次に、畦塗り機１の作用等を説明する。
【００４４】
例えば方向輪部23の上下方向位置を調整する場合、作業者は、操作ハンドル24を回転操作する。
【００４５】
作業者が操作ハンドル24を回転操作すると、その操作量に対応した移動量だけ方向輪部23が固定部22に対して上下方向に移動する。
【００４６】
このとき、操作者である作業者は、目印手段41、つまりゲージラベル42および補助ゲージラベル43を見ることにより、方向輪部23の位置を目視確認する。
【００４７】
この確認の際、作業者は、例えば固定部22の外筒26にて覆い隠されておらず、外部に露出した三角印47を一見することにより、方向輪部23の概略の位置を知ることが可能である。また、補助ゲージラベル43を見れば、方向輪部23の詳細な位置を知ることも可能である。
【００４８】
このように、上記畦塗り機１によれば、表示部である目印手段41のゲージラベル42が方向輪部23の移動方向に並ぶ複数の三角印47を有するため、方向輪部23の位置を容易に目視確認できる。
【００４９】
また、基準位置よりも一方側に位置する三角印47の表示態様と基準位置よりも他方側に位置する三角印47の表示態様とが互いに異なっているため、方向輪部23の位置をより一層容易に目視確認できる。
【００５０】
さらに、目印手段41は、三角印47の一の辺47aと他の辺47b，47cとの間における方向輪部23の移動方向に対して直交する方向の距離を示すための補助ゲージラベル43を有するため、方向輪部23の位置を容易かつ適切に目視確認できる。
【００５１】
また、ゲージラベル42の三角印47が作業機本体２の方向輪部23の内筒31にラベル本体46を介して設けられ、作業機本体２の固定部22の外筒26によって覆い隠される三角印47の隠れ量が方向輪部23の固定部22に対する移動に応じて変化する構成であるから、例えば三角印47の露出量を一見することで、方向輪部23の位置をきわめて容易に目視確認できる。
【００５２】
次に、図７には、本発明の第２の実施の形態が示されている。
【００５３】
この実施の形態に係る目印手段41のゲージラベル42の三角印47は、例えばすべて同じ大きさの直角三角形状である。
【００５４】
そして、「０」数表示48より上方側の三角印47の向きと、「０」数表示48より下方側の三角印47の向きとが、互いに異なっており、「０」数表示48を中心として上下対称になっている。
【００５５】
このため、「０」数表示48より上方側の三角印47は、上下方向に沿って位置する一の辺47aと、上下方向に対して傾斜した方向に沿って位置する他の辺47bと、水平方向に沿って位置する残りの辺47cとを有している。また、「０」数表示48より下方側の三角印47は、上下方向に沿って位置する一の辺47aと、上下方向に対して傾斜した方向に沿って位置する他の辺47cと、水平方向に沿って位置する残りの辺47bとを有している。
【００５６】
次に、図８には、本発明の第３の実施の形態が示されている。
【００５７】
この実施の形態に係る目印手段41のゲージラベル42の三角印47は、前記第２の実施の形態と同様、すべて同じ大きさの直角三角形状であるが、前記第２の実施の形態とは三角印47の向きが逆になっている。
【００５８】
そして、「０」数表示48より上方側の三角印47は、上下方向に沿って位置する一の辺47aと、上下方向に対して傾斜した方向に沿って位置する他の辺47cと、水平方向に沿って位置する残りの辺47bとを有している。また、「０」数表示48より下方側の三角印47は、上下方向に沿って位置する一の辺47aと、上下方向に対して傾斜した方向に沿って位置する他の辺47bと、水平方向に沿って位置する残りの辺47cとを有している。
【００５９】
次に、図９には、本発明の第４の実施の形態が示されている。
【００６０】
この実施の形態に係る目印手段41のゲージラベル42の三角印47は、前記第１の実施の形態と同様、２等辺三角形状（正三角形を含む）であるが、この第４の実施の形態では、標準使用範囲内に位置する三角印47の表示態様と標準使用範囲外に位置する三角印47の表示態様とが互いに異なっている。
【００６１】
すなわち例えば、標準使用範囲内に位置する三角印47の大きさが、標準使用範囲外に位置する三角印47の大きさよりも、大きくなっている。この標準使用範囲とは、例えば基準位置を中心とした一定範囲であり、この範囲内で方向輪部23を使用するのが通常である。なお、例えば標準使用範囲内の三角印47の色と標準使用範囲外の三角印47の色とを異ならせたり、標準使用範囲内の三角印47のハッチングと標準使用範囲外の三角印47のハッチングとを異ならせたりしてもよい。
【００６２】
次に、図１０には、本発明の第５の実施の形態が示されている。
【００６３】
この実施の形態に係る目印手段41のゲージラベル42の三角印47は、例えば大きさも向きもすべて同じ直角三角形状である。そして、すべての各三角印47は、上下方向に沿って位置する一の辺47aと、上下方向に対して傾斜した方向に沿って位置する他の辺47bと、水平方向に沿って位置する残りの辺47cとを有している。
【００６４】
次に、図１１には、本発明の第６の実施の形態が示されている。
【００６５】
この実施の形態に係る目印手段41のゲージラベル42の三角印47は、例えば大きさも向きもすべて同じ２等辺三角形状である。そして、すべての各三角印47は、上下方向に沿って位置する一の辺（底辺）47aと、上下方向に対して傾斜した方向に沿って位置する２つの他の辺（長さが等しい辺）47b，47cとを有している。また、三角印47内のハッチング47eに関し、直線47dよりも上方側に位置するハッチング47eの向きと直線47dよりも下方側に位置するハッチング47eの向きとが逆になっている。
【００６６】
なお、上記いずれの実施の形態においても、目印手段41は、方向輪部23の位置を目視確認するためのものには限定されず、例えば移動部である盛土手段４の高さ位置を目視確認するためのものや、移動部である畦形成手段５の高さ位置を目視確認するためのもの等でもよい。例えば盛土手段４の高さ位置を目視確認するための目印手段41として、ゲージラベル42および補助ゲージラベル43を高さ調整部37の内筒37aおよび外筒37bに貼り付けた構成でもよい。
【００６７】
また、移動部が移動（回転や回動等も含む）する移動方向は任意であり、例えば横方向である水平方向に移動可能な移動部の位置を目視確認するための目印手段41を備えた構成でもよい。
【００６８】
すなわち例えば図１２に示す第７の実施の形態に係る目印手段41は、水平方向に移動可能な移動部に貼り付けられた横方向のゲージラベル42を有し、このゲージラベル42のラベル本体46に三角印47、数表示48および線表示49が印刷等により設けられている。また、この目印手段41は、図示しない固定部に固設され移動部の位置を示す指針61を有している。なお、図示しない固定部にゲージラベル42を貼り付け、その固定部に対して移動可能な移動部に指針61を設けた構成でもよい。
【００６９】
また、例えば図１３に示す第８の実施の形態のように、指針61の代わりに固定部および移動部のいずれか一方の板部62に縦方向の補助ゲージラベル43を貼り付け、かつ固定部および移動部のいずれか他方に横方向のゲージラベル42を貼り付けた構成でもよい。
【００７０】
なお、いずれの実施の形態においても、目印手段41の三角印47の数は任意であり、例えば１個でもよく、また、三角印47の形状も任意で、２等辺三角形状や直角三角形状以外でもよい。
【００７１】
また、三角印47を付したゲージラベル42を貼り付けた構成には限定されず、例えば三角印47が内筒31の外面に刻印等により直接設けられた構成等でもよい。
【００７２】
さらに、例えば三角印47が固定部の内筒に設けられ、移動部の外筒によって覆い隠される三角印47の隠れ量が移動部の固定部に対する移動に応じて変化する構成等でもよい。
【００７３】
また、作業者が目印手段41を畦塗り機１等の作業機の後方から目視可能な構成には限定されず、目印手段41を作業機の側方、上方或いは前方等から目視可能な構成でもよい。
【００７４】
さらに、目印手段41を備える作業機は、畦塗り機１以外の農作業機でもよく、また建設機械や産業機械等でもよい。
【符号の説明】
【００７５】
１    作業機である畦塗り機
２    作業機本体
22    固定部
23    移動部である方向輪部
41    目印手段
43    補助目盛部である補助ゲージラベル
47    三角印
【図１】
0005863173.tif 000002
【図２】
0005863173.tif 000003
【図３】
0005863173.tif 000004
【図４】
0005863173.tif 000005
【図５】
0005863173.tif 000006
【図６】
0005863173.tif 000007
【図７】
0005863173.tif 000008
【図８】
0005863173.tif 000009
【図９】
0005863173.tif 000010
【図１０】
0005863173.tif 000011
【図１１】
0005863173.tif 000012
【図１２】
0005863173.tif 000013
【図１３】
0005863173.tif 000014